(57)【要約】 【課題】    簡単な操作により確実に封印することができるパチンコ機の基板ボックスを提供する。【解決手段】  板状体２の一側には、切断用の繋ぎ部７を介して筐体１側向きの錠止穴部１８を設けるともに、錠止穴部１８の位置する筐体１の側面には、係止ピン８が挿入された逆動防止部材９からなる錠止機能部３を設ける。係止ピン８を押出してその先端を錠止穴部１８に挿入することにより、板状体２のスライドを制止して筐体１を封印することができる。なお、係止ピン８は軸部８１の左右に弾性爪８２が突設され、逆動防止部材９は係止ピン８が嵌入される溝部９１を有し、該溝部９１側面には弾性爪８２が嵌め込まれる凹部９２を形成して、係止ピン８を一方にのみ移動可能とする。【選択図】    図８
2005152414.tif 000002
【特許請求の範囲】
【請求項１】
一端に開口部を有する筐体と、その開口部を横方向にスライドして筐体を封印する板状体とからなり、板状体の一側には、切断用の繋ぎ部を介して筐体側向きに錠止穴部を設けたうえに、該錠止穴部に対応して筐体の側面には、逆動防止部材を備えた錠止機能部を設けて、この逆動防止部材に係止ピンを錠止穴方向にのみ押出し可能に挿着して、係止ピンを押出してその先端を錠止穴部に挿入することにより、板状体がスライド不能に錠止されて筐体を封印するようにしたことを特徴とするパチンコ機の基板ボックス。
【請求項２】
係止ピンの軸部の左右に、押出し方向と逆向きの弾性爪を設け、逆動防止部材に、係止ピンが嵌入される溝部を設けて、この溝部の側面に前記弾性爪が嵌め込まれる凹部を形成して、係止ピンの逆動を防止した請求項１に記載のパチンコ機の基板ボックス。
【請求項３】
錠止機能部は、一列の逆動防止部材挿着部が設けられた支持枠と、複数列の溝部を有し前記挿着部に挿し込まれる一つの逆動防止部材と、前記溝部に挿し込まれる１本または複数本の係止ピンとからなる請求項２に記載のパチンコ機の基板ボックス。
【請求項４】
錠止機能部は、複数列の逆動防止部材挿着部が設けられた支持枠と、一列の溝部を有し前記挿着部の何れかの列に挿し込まれる一つの逆動防止部材と、前記溝部に挿し込まれる１本の係止ピンとからなる請求項２に記載のパチンコ機の基板ボックス。
【請求項５】
錠止機能部は、筐体の側面に固定された逆動防止部材と、該逆動防止部材に挿し込まれる1本または複数本の係止ピンとからなる請求項２に記載のパチンコ機の基板ボックス。
【請求項６】
逆動防止部材挿着部に、逆動防止部材抜け止め用の係止爪を設けた請求項３または４に記載のパチンコ機の基板ボックス。
【請求項７】
逆動防止部材の溝部の側面を錠止穴方向に延長して突出片を設け、この突出片を隣り合う錠止穴部間の隙間に挿入して、錠止穴部を補強した請求項３〜６の何れかに記載のパチンコ機の基板ボックス。
【発明の詳細な説明】
【技術分野】
【０００１】
本発明は、第三者が不正に取り外すことができない、パチンコ機のＲＯＭチップ等の重要機能部を覆う基板ボックスであって、特に第三者が不正に取り外すことができない封印機能を有する基板ボックスに関するものである。
【背景技術】
【０００２】
パチンコ機の入賞確率等はＲＯＭチップに書き込まれているが、第三者が正規のＲＯＭチップを不正なＲＯＭチップと交換して不当に賞球を獲得することがある。このような不正を防止するために、従来からパチンコ機のＲＯＭチップを含む重要機能部を基板ボックスにより覆ってシール等により封印を施してきた。
【０００３】
このような封印機能を有する基板ボックスとして、特許文献１には、棒状部材とこの棒状部材を一端挿入すると取り外しが不可能な逆動防止部材とからなる錠止機能部を設けて、ボックス本体と板状体とを封印する錠止方法が開示されている。しかしながら、この方法において棒状部材はガード部材にブリッジ状のカット部により接続されているので、棒状部材を使用するに当っては両端のカット部をいちいち切断しなければならず、したがって、封印作業が面倒で手間取るという問題があった。
【特許文献１】特許第３１４０３９４号公報  (図１０)
【発明の開示】
【発明が解決しようとする課題】
【０００４】
本発明は上記した従来の問題点を解決して、簡単な操作により確実に封印することができるパチンコ機の基板ボックスを提供するためになされたものである。
【課題を解決するための手段】
【０００５】
上記の課題を解決するためになされた本発明のパチンコ機の基板ボックスは、一端に開口部を有する筐体と、その開口部を横方向にスライドして筐体を封印する板状体とからなり、板状体の一側には、切断用の繋ぎ部を介して筐体側向きに錠止穴部を設けたうえに、該錠止穴部に対応して筐体の側面には、逆動防止部材を備えた錠止機能部を設けて、この逆動防止部材に係止ピンを錠止穴方向にのみ押出し可能に挿着して、係止ピンを押出してその先端を錠止穴部に挿入することにより、板状体がスライド不能に錠止されて筐体を封印するようにしたことを特徴とするものである。
【０００６】
なお、係止ピンの軸部の左右に、押出し方向と逆向きの弾性爪を設け、逆動防止部材に、係止ピンが嵌入される溝部を設けて、この溝部の側面に前記弾性爪が嵌め込まれる凹部を形成して、係止ピンの逆動を防止することができる。また、錠止機能部は、一列の逆動防止部材挿着部が設けられた支持枠と、複数列の溝部を有し前記挿着部に挿し込まれる一つの逆動防止部材と、前記溝部に挿し込まれる１本または複数本の係止ピンとからなるものとすることができ、あるいは、錠止機能部は、複数列の逆動防止部材挿着部が設けられた支持枠と、一列の溝部を有し前記挿着部の何れかの列に挿し込まれる一つの逆動防止部材と、前記溝部に挿し込まれる１本の係止ピンとからなるものとすることができ、あるいは、錠止機能部は、筐体の側面に固定された逆動防止部材と、該逆動防止部材に挿し込まれる1本または複数本の係止ピンとからなるものとすることができる。そして、逆動防止部材挿着部に、逆動防止部材抜け止め用の係止爪を設けることもできる。さらに、逆動防止部材の溝部の側面を錠止穴方向に延長して突出片を設け、この突出片を隣り合う錠止穴部間の隙間に挿入して、錠止穴部を補強することができる。
【発明の効果】
【０００７】
本発明のパチンコ機の基板ボックスは、板状体の一側に、切断用の繋ぎ部を介して錠止穴部を設け、錠止穴部に対応して筐体の側面に、逆動防止部材を備えた錠止機能部を設けて、この逆動防止部材に、係止ピンを錠止穴方向にのみ押出し可能に挿着したので、係止ピンを押出してその先端を錠止穴部に挿入することにより、板状体がスライド不能に錠止されるので筐体を封印することができる。
【０００８】
そして、係止ピンの軸部の左右には、押出し方向と逆向きの弾性爪を設け、逆動防止部材には、係止ピンが嵌入される溝部を設けて、この溝部の側面に前記弾性爪が嵌め込まれる凹部を形成したので、係止ピンは逆動防止部材内を一方にのみ移動可能であって、前記繋ぎ部を切断しない限り板状体を筐体から取り外すことはできない。
【０００９】
上記基板ボックスにおいて、錠止機能部は、一列の逆動防止部材挿着部が設けられた支持枠と、複数列の溝部を有し前記挿着部に挿し込まれる一つの逆動防止部材と、前記溝部に挿し込まれる1本または複数本の係止ピンとからなるものとしたので、当局による出荷検査の前には一本の係止ピンにより筐体を仮封印しておくことができる。そして、検査時に繋ぎ部を切断することによって封印を解除することができ、検査の終了後には残りの係止ピンにより再び筐体を確実に本封印することができる。なお、係止ピンは繰り返し再利用することができるし、逆動防止部材も他の基板ボックスの支持枠に対して再利用することもできる。
【００１０】
また、錠止機能部は、複数列の逆動防止部材挿着部が設けられた支持枠と、一列の溝部を有し前記挿着部の何れかの列に挿し込まれる一つの逆動防止部材と、前記溝部に挿し込まれる１本の係止ピンとからなるものとしたので、基板ボックスの仮封印、本封印に際して一つの逆動防止部材と１本の係止ピンを再利用することができる。また、錠止機能部は、筐体の側面に固定された逆動防止部材と、該逆動防止部材に挿し込まれる1本または複数本の係止ピンとからなるものとしても、基板ボックスを錠止することができる。
なお、逆動防止部材挿着部には、逆動防止部材抜け止め用の係止爪を設けたので、搬送中に逆動防止部材が脱落したりすることはない。
さらに、逆動防止部材の溝部の側面を錠止穴方向に延長して突出片を設け、この突出片を隣り合う錠止穴部間の隙間に挿入したので、錠止穴部をぐらつくことなく補強することができる。
【発明を実施するための最良の形態】
【００１１】
以下に図面を参照しつつ本発明の好ましい実施形態を説明する。
図１、２は本発明に係るパチンコ機の基板ボックスを示す図であって、１は筐体、２は板状体であって、筐体１と板状体２とは錠止機能部３の錠止により封印されている。
筐体１は、一端にＲＯＭチップを着脱できる開口部４を有しており、パチンコ機の機台６にＲＯＭチップを含む基板５とともにネジ（図示していない）により固定されている。そして、板状体２は両サイドから内向きに鍔２１を有し、筐体１は両サイドに外向きの桟１１を有しており、スライドして嵌め込まれた板状体２が上方に抜き出すのを規制している。なお、板状体２は筐体１固定用のネジをも取り外し不可能にして開口部４を覆っている。
【００１２】
板状体２の詳細を図３、４に示すが、板状体２はスライド時前方となる側面に切断用の繋ぎ部７を介して筐体１側向きの錠止穴部１８が二つ設けられている。錠止穴部１８は一端が開口されて、この開口部に後述する係止ピンの先端が挿し込まれる。他端は不正防止のために封鎖されている。また、錠止穴部１８を設けた側面には、筐体１の側面に当接する位置決め用の板材１９が設けられている。  
【００１３】
また、筐体１は図５に示すようなものであって、その一側には係止ピン８が挿入された逆動防止部材９を有する錠止機能部３が設けられている。図６、７に錠止機能部３の詳細を示すが、錠止機能部３は、一列の逆動防止部材挿着部１０ａが設けられた支持枠１０と、二列の溝部９１を有し前記挿着部１０ａに挿し込まれた一つの逆動防止部材９と、前記溝部９１に挿し込まれた二本の係止ピン８とからなる。
【００１４】
係止ピン８は、軸部８１の左右に突設された押し出し方向と逆向きの弾性爪８２と、先端の錠止穴部６への挿入片８３と、上方への押出し用作動片８４と、中央のリブ８６とを備えている。なお、弾性爪８２は押し出し方向にのみ摺動可能な鋸歯部８５を有する。また、係止ピン８には、図９に示すように、逆動防止部材９への挿し込みを容易とするガイド用の弾性片８９を設けてもよい。
【００１５】
一方、逆動防止部材９には２本の溝９１が上下方向に形成され、それぞれの溝９１の両側面には弾性爪８２の鋸歯部８５が嵌め込まれる凹部９２が複数形成してあって、逆動を確実に防止して係止ピン８を一方にのみ押出すことができるように構成されている。即ち、係止ピン８は逆動防止部材９内を錠止穴部１８方向にのみ移動可能である。
【００１６】
逆動防止部材９には、さらに底面の上端を切り欠いて係止用切込み９３が形成してある（図７）。逆動防止部材９は係止ピン８とともに一端から支持枠１０に挿し込まれて取り付けられる。一方、支持枠１０の側面には前記係止用切込み９３に係合する係止爪２０が設けてあるので（図６）、支持枠１０に逆動防止部材９を装着した時には逆動防止部材９ヲ運搬時などに脱落したりすることなく確実に支持することができる。
【００１７】
基板ボックスを錠止するに際しては、先ず、筐体１の一端に板状体２をスライドさせて開口部４を閉鎖するとともに、筐体１の錠止機能部３に板状体２の錠止穴部１８を位置させる。そして、係止ピン８の押出し用作動片８４を押圧して係止ピン８を突出させれば、図８に示すように、その先端の挿入片８３が錠止穴部１８の中に挿入されるので板状体２は後退不可能に錠止される。したがって、繋ぎ部７を切断しない限り板状体２を筐体１から取り外すことはできない。なお、上記実施形態においては２本の係止ピン８を有する錠止機能部３を示したが、係止ピン８を３本以上として封印、解除を繰り返し行うことができる。
【００１８】
パチンコ機には出荷前に当局による検査が行われるが、出荷検査の前には複数の係止ピン８のうちの一本により基板ボックスを仮封印しておく。そして、検査時に繋ぎ部７を切断することによって封印を解除して検査を受ける。検査の終了後には次の係止ピン８により再び基板ボックスを確実に封印することができる。仮封印を解除された使用済みの係止ピン８は繰り返し再利用することができる。逆動防止部材９も他の基板ボックスの支持枠１０に対して再利用することもできる。
【００１９】
なお、図６に示した支持枠１０を中央で二分割して逆動防止部材挿着部１０ａを２列となし、また、図７に示した逆動防止部材９も中央で分割して１列の溝部９１を有するものとすることができる。このように形成した錠止機能部３により基板ボックスを錠止するには、前記溝部９１に１本の係止ピン８を挿し込んだうえに、逆動防止部材９を前記挿着部１０ａの一方の列に挿し込んで抜け止め用の係止爪２０により固定する。次いで、係止ピン８を錠止穴部１８に挿入することにより基板ボックスを錠止することができる。錠止を解除するときには繋ぎ部７を切断することによって一ヶ所目の錠止穴部７を錠止不能状態とする。
【００２０】
再度錠止を行うときには、一ヶ所目の錠止穴部７に対応する部分にある抜け止め用の係止爪２０の係止を外して、支持枠１０から逆動防止部材９と係止ピン８とを取出す。次いで二ヶ所目の錠止穴部７に対応する部分の支持枠１０の挿着部１０ａに、取り外した逆動防止部材９と係止ピン８とを挿入し、抜け止め用の係止爪２０により固定する。そして、係止ピン８を錠止穴部１８内に突き上げれば基板ボックスを再び錠止することができる。この結果、一つの逆動防止部材９と１本の係止ピン８を再利用して錠止を行うことができる。
【００２１】
図１０〜１７には、別の実施形態の基板ボックスを示す。本実施形態の板状体２においては、４つの錠止穴部１８が設けられ、これに対応して、筐体１の錠止機能部３には４本の溝部９１が形成された逆動防止部材９が挿着されている。この逆動防止部材９は、溝部９１の側面を錠止穴部１８の方向に延長して突出片４３が設けられており、この突出片４３は逆動防止部材９を錠止機能部３に装着した時に、隣り合う錠止穴部１８間の隙間４４に密着して入りこむので、繋ぎ部７に延設された錠止穴部１８をぐらつかないように補強することができる。したがって、係止ピン８を挿入して確実に基板ボックスを錠止することができる。なお、係止ピン８を、図１７に示すように複数本装着することによって、封印、解除を繰り返すことができ、繋ぎ部１７を切断することによって封印、解除の繰り返しが何回行われたか一目で視認することができる。なお、逆動防止部材９は直接筐体１の側面に固定することもできる。
【００２２】
また、上記基板ボックスにおいて、板状体２には抜け止め片４１が３側面に設けられており、一方、筐体１には、それに対応する係止部４２が設けられている。したがって、板状体２または筐体１をスライドしてこれらを合体させた後は、スライド方向に対して垂直な方向には両者は離脱することができない。よって、錠止機能部９により基板ボックスを錠止したときは、相互にスライドも離脱も不可能とされて、確実に封印することができる。
【００２３】
なお、基板ボックスは、板状体２を基体とし、筐体１をスライドする蓋として用いることができ、この逆に筐体１を基体とし、板状体２をスライドする蓋として用いることもできる。また、本発明においては、薄板状の係止ピンを用いて基板ボックスを錠止するので、従来の棒状部材や一方向ネジを用いた場合と比べて錠止機能部を薄型のものとすることができ、スペースを有効に活用することができる。
【００２４】
以上述べたように、本発明の基板ボックスは、係止ピンを単に上に押出すだけで板状体を筐体に錠止することができる。したがって、本発明は簡単な操作により確実に基板ボックスを封印することができるという大きな利点を有する。
【図面の簡単な説明】
【００２５】
【図１】本発明の基板ボックスの斜視図である。
【図２】図１のＡ−Ａ線断面図である。
【図３】本発明の基板ボックスにおける板状体の斜視図である。
【図４】板状体の裏面図である。
【図５】本発明の基板ボックスにおける筐体の斜視図である。
【図６】錠止機能部の正面図である。
【図７】錠止機能部の詳細を示す平面図である。
【図８】係止ピンが錠止穴部内に突出された状態の錠止機能部の平面図である。
【図９】別の形態の係止ピンを示す平面図である。
【図１０】別の実施形態の板状体の裏面図である。
【図１１】図１０の板状体の正面図である。
【図１２】図１０の板状体の側面図である。
【図１３】別の実施形態の筐体の平面図である。
【図１４】筐体の正面図である。
【図１５】筐体の側面図である。
【図１６】逆動防止部材の正面図（ａ）と平面図（ｂ）である。
【図１７】係止ピンが挿着された逆動防止部材の平面図である。
【符号の説明】
【００２６】
１  筐体
２  板状体
３  錠止機能部
７  切断用の繋ぎ部
８  係止ピン
９  逆動防止部材
１８  錠止穴部
８１  係止ピンの軸部
８２  弾性爪
８３  錠止穴部への挿入片
８４  押出し用作動片
８５  鋸歯部
８６  リブ
９１  溝部
９２  凹部
９３  逆動防止部材係止用の切込み
【図１】
2005152414.tif 000003
【図２】
2005152414.tif 000004
【図３】
2005152414.tif 000005
【図４】
2005152414.tif 000006
【図５】
2005152414.tif 000007
【図６】
2005152414.tif 000008
【図７】
2005152414.tif 000009
【図８】
2005152414.tif 000010
【図９】
2005152414.tif 000011
【図１０】
2005152414.tif 000012
【図１１】
2005152414.tif 000013
【図１２】
2005152414.tif 000014
【図１３】
2005152414.tif 000015
【図１４】
2005152414.tif 000016
【図１５】
2005152414.tif 000017
【図１６】
2005152414.tif 000018
【図１７】
2005152414.tif 000019